(57)【要約】  冷暖房ユニットと、冷暖房ユニットの（垂直）位置を調整して壁の枠組部材または別の冷暖房ユニットに取り付けることを可能にする調節可能なフレームとを含む高さ調節可能な隠し冷暖房システムである。冷暖房ユニットは、フレームに取り付けられたハウジングも含む。ハウジングは、壁の中に延在して凹部を規定し、放熱フィンが取り付けられた熱および／または冷却供給管がこの凹部を通って延在している。
2021501302.tif 000002
【特許請求の範囲】
【請求項１】
暖房ユニットであって、
第１の側部と、前記第１の側部とは反対側の第２の側部とを有する調節可能なフレームを備え、前記第１および第２の側部は、壁の枠組部材に結合されるように構成され、前記調節可能なフレームの前記第１および第２の側部の各々は、前記側部の上方部分を摺動可能に受けて前記調節可能なフレームの高さを調整するように構成された下方部分を含み、前記暖房ユニットはさらに、
前記調節可能なフレームの前記上方部分に結合され、前記調節可能なフレーム内に凹部を規定するハウジングと、
前記凹部を通って延在する配管とを備え、前記下方部分は、前記配管を受けるように構成された溝を含む、暖房ユニット。
【請求項２】
前記調節可能なフレームの前記第１の側部は、前記上方部分に形成され、前記下方部分に形成された第２の複数の孔のうちの少なくとも１つと整列するように構成された第１の複数の孔を備える、請求項１に記載の暖房ユニット。
【請求項３】
前記上方部分を前記下方部分に固定するために前記第１の複数の孔のうちの少なくとも１つおよび前記第２の複数の孔のうちの少なくとも１つの中に配設された締結具をさらに備える、請求項２に記載の暖房ユニット。
【請求項４】
前記溝は、前記下方部分の上縁から長手方向に延在し、前記溝は、前記配管の直径に等しいかまたはそれよりも大きい幅を有する、請求項１に記載の暖房ユニット。
【請求項５】
前記第１および第２の側部は、前記壁の水平枠組部材に結合されるように構成された１つ以上のフランジを含む、請求項１に記載の暖房ユニット。
【請求項６】
前記調節可能なフレームに取り外し可能に結合された深さ調節可能なカバーをさらに備える、請求項１に記載の暖房ユニット。
【請求項７】
前記配管に結合された複数の放熱フィンをさらに備える、請求項１に記載の暖房ユニット。
【請求項８】
前記配管は、熱供給管と、戻り管とを備える、請求項１に記載の暖房ユニット。
【請求項９】
暖房システムのための調節可能なフレームであって、
管のための凹部を規定するハウジングと、
第１の側部と、前記第１の側部とは反対側の第２の側部とを備え、前記第１および第２の側部は、壁の枠組部材に結合されるように構成され、前記調節可能なフレームの前記第１および第２の側部の各々は、
前記ハウジングに結合された上方部分と、
前記上方部分を摺動可能に受けて前記調節可能なフレームの高さを調整するように構成された下方部分とを含み、前記下方部分は、前記管を受けるように構成された溝を含む、調節可能なフレーム。
【請求項１０】
前記調節可能なフレームの前記第１の側部は、前記上方部分に形成され、前記下方部分に形成された第２の複数の孔のうちの少なくとも１つと整列するように構成された第１の複数の孔を備える、請求項９に記載の調節可能なフレーム。
【請求項１１】
前記上方部分を前記下方部分に固定するために前記第１の複数の孔のうちの少なくとも１つおよび前記第２の複数の孔のうちの少なくとも１つの中に配設された締結具をさらに備える、請求項１０に記載の調節可能なフレーム。
【請求項１２】
前記溝は、前記下方部分の上縁から長手方向に延在し、前記溝は、前記管の直径に等しいかまたはそれよりも大きい幅を有する、請求項９に記載の調節可能なフレーム。
【請求項１３】
前記第１および第２の側部は、前記壁の水平枠組部材または別の暖房システムの別の調節可能なフレームに結合されるように構成された１つ以上のフランジを含む、請求項９に記載の調節可能なフレーム。
【請求項１４】
前記調節可能なフレームに取り外し可能に結合された深さ調節可能なカバーをさらに備える、請求項９に記載の調節可能なフレーム。
【請求項１５】
前記管は、供給管と、戻り管とを備える、請求項９に記載の調節可能なフレーム。
【請求項１６】
冷暖房ユニットであって、
上方部分と下方部分とを有する高さ調節可能なフレームを備え、前記上方および下方部分のうちの少なくとも一方は、他方を摺動可能に受けて前記調節可能なフレームの高さを調整するように構成され、冷暖房ユニットはさらに、
前記調節可能なフレームの前記上方部分に結合され、前記調節可能なフレーム内に凹部を規定するハウジングと、
液体伝熱媒体の移送のために構成され、前記凹部を通って延在する管とを備え、前記下方部分は、前記管を受けるように構成された溝を含む、冷暖房ユニット。
【請求項１７】
前記上方部分は、前記上方部分に形成され、前記下方部分に形成された第２の複数の孔のうちの少なくとも１つと整列するように構成された第１の複数の孔を含む、請求項１６に記載の冷暖房ユニット。
【請求項１８】
前記上方部分を前記下方部分に固定するために前記第１の複数の孔のうちの少なくとも１つおよび前記第２の複数の孔のうちの少なくとも１つの中に配設された締結具をさらに備える、請求項１７に記載の冷暖房ユニット。
【請求項１９】
前記溝は、前記下方部分の上縁から長手方向に延在し、前記溝は、前記管の直径に等しいかまたはそれよりも大きい幅を有する、請求項１７に記載の冷暖房ユニット。
【請求項２０】
前記調節可能なフレームに取り外し可能に結合された深さ調節可能なカバーをさらに備える、請求項１７に記載の冷暖房ユニット。
【発明の詳細な説明】
【技術分野】
【０００１】
背景
人々が快適な温度制御された環境で生活したり働いたりすることができるように、住居または他の建物の内部に熱を供給することは重要であり、管轄区域によっては法律上義務付けられている場合さえある。ベースボードヒータまたは蒸気放熱器などの冷暖房システムが熱源として使用されてきた。しかし、これらのタイプのシステムは、床に沿って、典型的には壁に立てかけて設置されるので、それらの使用は、多くの場合、それらが設置される部屋の利用可能な床面積を減少させる。これは、利用可能な面積の需要が高い都市部のマンションなどの場所では特に問題である。また、これらのタイプのシステムは、部屋の中に突き出るので、つまずく危険を生じさせ、見苦しく、損傷を受けやすい。さらに、このような冷暖房システムは、一般に、壁とたとえば放熱器との間の空間からの熱損失（および、それに続くエネルギ浪費）によりエネルギ効率がよくない。
【発明の概要】
【発明が解決しようとする課題】
【０００２】
概要
これらの問題に鑑みて、本開示は、設置されたときに、依然として十分な熱を住居に供給しながら、ベースボードヒータおよび蒸気放熱器と比較して大きな利用可能な面積を可能にする高さ調節可能な隠し冷暖房システムに向けられる。さらに、記載されている高さ調節可能な隠し冷暖房システムは、全ての壁が完成された後に従来の順番でシステムを設置するのではなく、建設の枠組組み立て段階と同時にシステムを設置することを可能にする。
【課題を解決するための手段】
【０００３】
冷暖房ユニットと調節可能なフレームとを有する高さ調節可能な隠し冷暖房システムが本明細書において提供される。このシステムでは、調節可能なフレームは、ハウジングを保持するように構築され、壁の枠組部材への取り付けのために構築される。調節可能なフレームは、第１の側部と、上記第１の側部とは反対側の第２の側部とを有してもよい。上記第１および第２の側部は、壁の枠組部材または別の冷暖房ユニットに結合されるように構成される。上記フレームの上記第１および第２の側部の各々は、上記側部の上方部分を摺動可能に受けて上記調節可能なフレームの高さを調整するように構成された下方部分を含む。上記ハウジングは、上記フレームの上記上方部分に結合され、上記フレーム内に凹部を規定してもよい。上記冷暖房システムはさらに、上記凹部を通って延在する熱および／もしくは冷却供給管または熱戻り管を含み、上記下方部分は、上記熱および／もしくは冷却供給管または熱戻り管を受けるように構成された溝を含む。
【０００４】
例示的な局面の上記の簡単な概要は、本開示の基本的理解を提供する役割を果たす。この概要は、全ての考えられる局面の広範な概略ではなく、全ての局面の重要または不可欠な要素を特定するよう意図されたものではなく、本開示のいずれかまたは全ての局面の範囲を示すよう意図されたものでもない。その唯一の目的は、以下の本開示のさらに詳細な説明に対する前置きとして１つ以上の局面を簡略化された形式で提供するというものである。上記を達成するために、本開示の１つ以上の局面は、特許請求の範囲に記載されて例示的に指摘されている特徴を含む。
【０００５】
本明細書に組み込まれて本明細書の一部を構成する添付の図面は、本開示の１つ以上の例示的な局面を示しており、詳細な説明とともに、それらの原理および実現例を説明する役割を果たす。
【図面の簡単な説明】
【０００６】
【図１】本開示の一実施形態に係る高さ調節可能な隠し冷暖房システムの斜視図である。
【図２】冷暖房システムがカバーを含む高さ調節可能な隠し冷暖房システムの一実施形態の分解斜視図である。
【図３】冷暖房システムが完成された壁の中にある高さ調節可能な隠し冷暖房システムの一実施形態の斜視図である。
【図４】図１の高さ調節可能な隠し冷暖房システムの側面図である。
【図５】図１の断面線５−５に沿った高さ調節可能な隠し冷暖房システムの一実施形態の断面図である。
【発明を実施するための形態】
【０００７】
当業者は、以下の説明が例示的なものであるに過ぎず、限定的であるように意図されるものではないということを認識するであろう。当業者は、本開示の利点を有する他の局面を容易に連想するであろう。ここでは、添付の図面に示されている例示的な局面の実現例を詳細に参照する。同一または同様の要素を指すために、可能な限り、図面および以下の説明全体を通して同一の参照符号を使用する。
【０００８】
詳細な説明
図１は、本開示の一実施形態に係る高さ調節可能な隠し冷暖房システム１００の斜視図である。一実施形態において、冷暖房システム１００は、暖房および／または冷房を建物およびその部屋に提供するための温水循環式システムであってもよい。本明細書における「冷暖房」ユニットとは、暖房および／または冷房、すなわち暖房または冷房またはそれら両方の組み合わせを提供するように構成されたユニットを指す。冷暖房システム１００は、建物の壁への設置のためにある範囲のサイズに伸縮するように構成された調節可能なフレーム１０４を有する少なくとも１つの冷暖房ユニット１０３を含む。調節可能なフレーム１０４は、壁における１つ以上の枠組部材または別の冷暖房ユニットに結合されるように構成された側部１０５を含む。説明のために、側部１０５は、左側側部および右側側部と称されてもよいが、一般的に第１の側部および第２の側部（第２の側部は、第１の側部とは反対側である）と称されてもよい。この実施形態では、フレーム１０４は、ブロッキング部１１０、底板１１１、および壁または別の冷暖房ユニットの他の構造（たとえば、ヘッダ、トラック）などの水平枠組部材に結合され、間柱１１２，１１３などの垂直枠組部材間に配設されるかまたは別の冷暖房ユニットに隣接して配設されるように構成されてもよい。ブロッキング部１１０、底板１１１および間柱１１２，１１３は、木材、金属、または建設の際に使用されるその他の建材で作られてもよい。
【０００９】
一局面において、冷暖房ユニット１０３はさらに、他の冷暖房ユニット１０３と積層可能であるように構成されてもよく、すなわち別の冷暖房ユニット１０３に結合されて別の冷暖房ユニット１０３の上方または下方に配設されるように構成されてもよい。側部１０５は、水平枠組部材、および他の冷暖房ユニット１０３の任意の隣接する積層可能なフレーム１０４への取り付けのために構成されてもよい。
【００１０】
冷暖房ユニット１０３はさらに、暖房および／または冷房に使用される液体伝熱媒体の移送のための配管１０６を含む。いくつかの実施形態では、配管１０６は、たとえば温水、蒸気または冷気をＨＶＡＣシステムまたは他の機器から冷暖房ユニット１０３に移送するための熱および／もしくは冷却供給または戻り管を含んでもよい。配管１０６は、図１における実施形態に示されているような第１の管（すなわち、供給）および第２の管（すなわち、戻り）配管を含んでもよく、または単一の管を有してもよい。配管１０６は、フレーム１０４の各側部１０５を貫通して形成された孔または開口を貫通して配設されてもよい。配管１０６は、好ましくは銅製であってもよいが、ＰＥＸ（架橋ポリエチレン）管、ＣＰＶＣ（塩素化ポリ塩化ビニル）、ＰＰ（ポリプロピレン）、ステンレス鋼およびアルミニウムなどの他の材料で作られてもよい。冷暖房ユニット１０３は、冷暖房ユニット１０３を水平に貫通する配管１０６に結合された複数の放熱フィン１０７を含む。放熱フィン１０７は、配管１０６からの熱伝達を容易にするように構成され、鋼またはアルミニウムなどの熱伝導性材料で作られてもよい。放熱フィン１０７の形状は、正方形、円形、三角形、または他の形状であってもよい。いくつかの実施形態では、配管１０６は、二列の放熱フィンに分岐する熱供給管であってもよく、または複数の加熱帯を規定する複数の独立した熱供給管であってもよい。別の実施形態では、配管１０６は、フレーム１０４の一方の（第１の）側部を貫通して配設され、放熱フィンを有し、フレームの反対側の（第２の）側部を貫通して一巡して、熱戻り配管としてフレームの第１の側部から出て行く熱供給管を含んでもよい。フレーム１０４は、単管蒸気システム、二管蒸気システム、二管ディレクションリターンシステム、二管リバースリターンシステム、三管、直列ループなどを含む、暖房および／または冷房のための温水循環式システムのさまざまな配管構成を支持するように構成されてもよいということが理解される。
【００１１】
上記のように、調節可能なフレーム１０４は、建物の内壁への設置のためにある範囲のサイズに伸縮するように構成される。一実施形態では、調節可能なフレーム１０４の各側部１０５は、互いに摺動可能に係合されることによってフレーム１０４をさまざまな高さおよび構成に伸縮させることができる上方部分１０８および下方部分１０９を含む。上方部分１０８および下方部分１０９は、被受け部分および受け部分と呼ぶこともできる。受け部分が被受け部分に摺動可能に適合するように、受け部分の寸法は被受け部分の寸法よりもわずかに大きい。一般に、上方部分１０８および下方部分１０９のうちの少なくとも一方は、他方を摺動可能に受けて調節可能なフレームの高さを調整するように構成される。示されている実施形態では、下方部分１０９が、ハウジング１２０に結合され得る上方部分１０８（被受け部分）を摺動可能に受ける受け部分である。他の実施形態では、上方部分１０８が、被受け部分である下方部分１０９を摺動可能に受ける受け部分であってもよい。
【００１２】
一実施形態では、冷暖房ユニット１０３は、配管１０６が配設されるフレーム内に凹部を規定するようにフレーム１０４に結合されたハウジング１２０を含む。図１に示されるように、配管１０６は、ハウジング１２０およびフレーム１０４の側部１０５を通って延在してもよい。ハウジング１２０は、暖房対象の部屋または他の空間（簡単にするために、本明細書では単に「部屋」と称される）に面する側を除いて全ての側で放熱フィン１０７を取り囲むように構成されてもよい。ハウジング１２０は、以下でさらに詳細に説明する放熱を手助けするために、鋼、アルミニウムまたは他の熱伝導性材料で作られてもよい。一実施形態では、ハウジング１２０は、上方部分１０８に結合されてもよく、フレームのサイズを調節したときに上方（または、下方）に移動する。他の実施形態では、ハウジング１２０は、下方部分１０９に結合されてもよい。
【００１３】
フレーム１０４を調節することは、下方部分１０９から直線的に外側に上方部分１０８を伸ばして（または、縮めて）、フレーム１０４の全体の高さを大きくし（または、小さくし）、冷暖房ユニット１０３およびハウジング１２０の垂直位置を変更することを含む。フレーム１０４は、上方および下方部分を所望の位置に固定するように構成されたロッキング機構を含む。一実施形態では、上方部分１０８は、上方部分１０８に形成され、下方部分１０９に形成された複数の孔１１５のうちの少なくとも１つと整列させることができる複数の孔１１４を含んでもよい。図１に示される実施形態では、孔１１４，１１５は、フレーム１０４の側面に形成された前列および後列の孔を備える。他の実施形態では、孔１１４，１１５は、フレーム１０４の前側（すなわち、部屋に面する側）に形成されてもよい。孔１１４，１１５は、フレーム１０４のための複数のサイズ調節設定または冷暖房ユニット１０３のための複数の位置を規定する。一旦所望の高さに調節されると、上方部分１０８は、整列した孔１１４，１１５を貫通して配設される１つ以上の締結具１１８によって所与の位置において下方部分に取り付けられて固定されてもよい。締結具１１８の例としては、ねじ、ナット、ボルトおよびリベットなどの取り外し可能な締結装置、ならびに、クリップ、留め金、ばねおよびブラケットなどの他の締結機構を挙げることができる。
【００１４】
各下方部分１０９は、下方部分が対応する上方部分を摺動可能に受けるときに配管１０６を受けるように構成された溝１１６を含んでもよい。すなわち、上方部分と下方部分とが重なり合うので、溝１１６は、フレームを通って延在する配管１０６を下方部分１０９が収容することを可能にする。一実施形態では、溝１１６は、下方部分１０９の上縁に開口を形成して、下方部分１０９の中に長手方向に延在している。溝１１６は、配管１０６の直径に等しいかまたはそれよりも（わずかに）大きい幅と、冷暖房ユニット１０３の最低位置を収容するように選択された長さとを有してもよい。いくつかの実施形態では、溝１１６は、フレーム１０４の最低位の構成において配管１０６（円筒形状を有する）を受けて支持するように構成された湾曲遠位部１１７を有してもよい。
【００１５】
図２は、調節可能な隠し冷暖房システム１００の一実施形態の分解斜視図である。冷暖房ユニット１０３は、フレーム１０４の部屋に面する側２０１に取り外し可能に結合された深さ調節可能なカバー２０６を含む。いくつかの実施形態では、深さ調節可能なカバー２０６は、カバーから直交して延在する複数のプラグ２０８を含んでもよい。深さ調節可能なカバー２０６は、損傷または美的理由によるカバー２０６の洗浄および／または交換を可能にするように取り外し可能であってもよい。たとえば、スタイルの好みに応じて、カバー２０６は、住居に居住している人の装飾または美的スタイルに合うように変更することができる。いくつかの実施形態では、深さ調節可能なカバー２０６は、空気が深さ調節可能なカバー２０６に行き渡ることを可能にするために形成された穿孔または他の開口などの格子２１０を含んでもよい。深さ調節可能なカバー２０６は、放熱を手助けするために、鋼、アルミニウムまたは他の熱伝導性材料で作られてもよく、木材またはプラスチックなどの非熱伝導性材料で作られてもよい。
【００１６】
フレーム１０４は、フレームの上方部分１０８の部屋に面する側２０１に形成された複数の取付孔２０２と、フレームの下方部分１０９の部屋に面する側２０１に形成された取付孔２０４とを含んでもよい。取付孔２０２，２０４は、深さ調節可能なカバー２０６のプラグ２０８（または、他の締結装置）を受け入れて、深さ調節可能なカバー２０６をフレーム１０４に固定するように構成される。一実施形態では、下方部分１０９に形成された取付孔２０４は、孔１１５の間隔に実質的に一致する間隔を有する一列の孔であってもよい。このように、フレーム１０４の高さ構成にかかわらず、深さ調節可能なカバー２０６の対応する底部プラグ２０８を受けるのに利用できる底部取付孔２０４が存在する。
【００１７】
いくつかの実施形態では、プラグ２０８は、複数の位置のうちの１つにおいて深さ調節可能なカバー２０６をフレーム１０４に固定するように構成される。たとえば、プラグ２０８は、プラグの底部側に複数の鍵形の段を形成していてもよく、これらの鍵形の段は、取付孔２０２，２０４の底部の縁の上に載るように構成され、各々の鍵形の段は、カバー２０６の異なる深さ構成を規定する。別の実施形態では、プラグ２０８は、深さ調節可能なカバー２０６とフレーム１０４の部屋に面する側との間の離間関係を維持するように構成されたねじ切りされたねじおよびエクステンダであってもよく、離間関係は、ねじ切りされたねじを調節することによって調整されてもよい。
【００１８】
一実施形態では、上方部分１０８および下方部分１０９は、１つ以上の水平枠組部材（たとえば、ブロッキング部１１０、底板１１１）への取付のための、または別の冷暖房ユニット１０３に結合されるフランジ２１２を含む。示されているように、フランジ２１２は、側部１０５から垂直であって、かつ、水平枠組部材に対して平行に延在してもよい。各フランジ２１２は、フレーム１０４が壁の中に取り付けられたときに水平枠組部材の内面にもたれかかるように配設される。各フランジ２１２は、たとえば締結具を使用してフレーム１０４を枠組部材に結合することを容易にするように形成された１つ以上の取付孔を含んでもよい。いくつかの実施形態では、部分１０８，１０９および対応するフランジ２１２の各々は、単一の材料から製造されてもよい。
【００１９】
図３は、高さ調節可能な隠し冷暖房システム１００の一実施形態の斜視図であり、冷暖房システム１００は、完成された壁３０４内に設置される。冷暖房システム１００は、住居の外壁または内壁３０４内に設置されてくぼむように構成される。
【００２０】
図３およびさらに図４に示されるように、冷暖房ユニット１０３は、ユニットが位置する部屋のベースボードトリムモールディング３０２の上方の位置に設置され得る。これは、従来のベースボードヒータで起こるであろう装飾モールディングとの干渉がない、仕上がりと均一な全体外観とを有する部屋を設計できるという利点を提供する。また、冷暖房システム１００は、壁３０４の中にくぼんで配設されるので、冷暖房ユニット１０３の周囲の壁３０４の残りの部分を標準的なシートロックで容易に完成させることができる。さらに、冷暖房システム１００は、熱を供給するためだけでなく、全体的な装飾デザインを作成するために、さまざまな高さに設置することができる。示されているように、冷暖房システム１００は、部屋の床３０８の上に配設されないため、有利なことに、冷暖房システム１００が設置される部屋の利用可能な床面積を減少させることはない。
【００２１】
壁３０４が既に完成されているリノベーション中は、冷暖房システム１００の設置は、調節可能なフレーム１０４の挿入のための開口３０６を壁３０４に作成することを含んでもよい。挿入に先立って、調節可能なフレーム１０４は、折り畳んだ構成にされてもよく（すなわち、完全に縮められてもよく）、その結果、上方部分１０８と下方部分１０９とが実質的に重なり合って、冷暖房ユニット１０３がその最低位置に配設される。開口３０６は、この折り畳んだ構成で調節可能なフレーム１０４を収容するように構成されたサイズおよび形状を有してもよい。挿入後に、調節可能なフレーム１０４は、垂直に伸ばされて所望の構成（すなわち、高さ）にされてもよく、その結果、側部１０５のフランジ２１２は、水平枠組部材にもたれかかるように配設され、次いで水平枠組部材に結合される。深さ調節可能なカバー２０６は、深さ調節可能なカバーがフレーム１０４に固定されたときに深さ調節可能なカバー２０６が壁３０４（すなわち、壁のシートロック）と実質的に面一に配設されるように、開口３０６のサイズおよび形状と実質的に同様のサイズおよび形状を有するように選択されてもよく、または、開口を完全に覆うように開口よりも大きくサイズ決めされてもよい。いくつかの実施形態では、冷暖房システム１００は、深さ調節可能である場合もあれば深さ調節可能でない場合もあるさらなるカバーを含んでもよい。
【００２２】
一実施形態では、フレーム１０４の調節可能な性質は、有利なことに、冷暖房システム１００および冷暖房システムの構成要素（たとえば、配管、ボイラ）を建物の建設の枠組組み立て段階中に建物に設置することを可能にし、全ての壁ができあがるまで待たなくてもよい。たとえば、設置中、最初に、フレーム１０４を床の底板１１１だけに結合し、上方部分を未取り付けのままにしてもよい。次いで、枠組組み立て段階が完了した後、フレーム１０４は、冷暖房システム１００の周囲に直立する最終的な枠組に応じて最終位置まで延在するように調節されて、別の枠組部材に結合されてもよい。別の例では、壁のヘディングおよびトラックが設置されてもよく、次いで、枠組の残りの部分が完成される間に冷暖房ユニット１０３が設置されてオンにされる。
【００２３】
従来の冷暖房システムでは、枠組組み立て段階（壁、床システムおよび屋根システムが設置される）は、典型的には、暖房および他の機械的システムのおおまかな組み立てとともに完了され、次いで、壁および床などが完成される。その後、おおまかに組み立てられた暖房および他の機械的システムが完成される。一方、建物の建設を任された建設業者は、建物の枠組組み立てと同時に、調節可能なフレーム１０４を有する冷暖房システム１００を設置し、冷暖房システムが建築基準法に適合しているか否かの検査を完了してから、冷暖房システム１００をオンにして建設中に建設作業員に熱を供給してもよい。これにより、冬（一般に、建設がゆっくりになるかまたは制限される）の間でさえ建物の枠組の建設を継続することができ、それによって建設時間およびコストが削減される。
【００２４】
図５（図１の断面線５−５に沿った断面図）に見られるように、ハウジング１２０は、冷暖房ユニット１０３が設置される空間をハウジング１２０と壁３０４の内部との間に規定する。いくつかの実施形態、特に壁３０４が外壁である実施形態では、調節可能なフレーム１０４内に断熱材が配設されてもよい。断熱材は、壁３０４の後方内部と冷暖房ユニット１０３との間に垂直の向きに配設された断熱材５０２の部分を含んでもよい。また、断熱材は、ハウジング１２０の上方および下方に配設されて水平に向けられた断熱材５０４の部分も含んでもよい。
【００２５】
なお、図１〜図５は、複数の放熱フィン１０７および放熱フィン１０７が取り付けられた配管１０６の部分が水平方向に向けられ、調節可能なフレーム１０４が垂直方向に延在するように構成され設置された冷暖房ユニット１０３を示しているが、複数の放熱フィン１０７および配管１０６の部分が垂直方向に向けられ、調節可能なフレーム１０４が水平方向に延在する（および、縮む）ように冷暖房ユニット１０３を設置することも可能である。
【図１】
2021501302.tif 000003
【図２】
2021501302.tif 000004
【図３】
2021501302.tif 000005
【図４】
2021501302.tif 000006
【図５】
2021501302.tif 000007
【国際調査報告】
2021501302.tif 000008